(57)【要約】【課題】ゲート通過型の金属探知機等による検査の不快感を防止し、快適な環境下での危険物探知構造を提供する。【解決手段】サーチコイル等から構成された検知部を床下に配置し、床上には規定の歩行路を通行させるための案内部を、床面の構造や模様等で視覚上で区別可能な状態にて形成し、更に、容量センサー等を用いて検知精度を高める。【選択図】図１
2006216004.tif 000002
【特許請求の範囲】
【請求項１】
検知部を床下に配置し、床上には規定の歩行路を通行させる案内部を設けることを特徴とする危険物探知装置。
【請求項２】
前記検知部は、少なくともサーチコイルにより構成されることを特徴とする請求項１に記載の危険物探知装置。
【請求項３】
前記検知部は、少なくともサーチコイルと検知コイルから構成されることを特徴とする請求項１に記載の危険物探知装置。
【請求項４】
前記サーチコイル及び前記検知コイルを複数設けることを特徴とする請求項１に記載の危険物探知装置。
【請求項５】
床下には複数のサーチコイルを配置するとともに、天井には複数の検知コイルを配置することを特徴とする請求項１乃至請求項４に記載の危険物探知装置。
【請求項６】
前記案内部は、床面上に床面の模様と視覚上で区別可能な模様にて形成されることを特徴とする請求項１乃至請求項５に記載の危険物探知装置。
【請求項７】
前記案内部は、床面上に形成される段差によって構成されることを特徴とする請求項１乃至請求項５に記載の危険物探知装置。
【請求項８】
前記床面の上面において、サーチコイルの上方にあたる部分には、凹凸を有する板ガラスを配置することを特徴とする請求項１乃至請求項７に記載の危険物探知装置。
【請求項９】
前記床面において、サーチコイルの上方にあたる部分を凹凸を有する板ガラスによって構成することを特徴とする請求項１乃至請求項７に記載の危険物探知装置。
【請求項１０】
前記床面において、サーチコイルの上方にあたる部分には、導電膜を有する合わせガラスを配置することを特徴とする請求項１乃至請求項７に記載の危険物探知装置。
【請求項１１】
前記導電膜はコイルパターンを形成することを特徴とする請求項１０に記載の危険物探知装置。
【請求項１２】
進行方向に傾斜したサーチコイルと、前記の傾斜したサーチコイルと対になる受信コイルを設置するとともに、それぞれを複数対としたことを特徴とする請求項６乃至請求項１１に記載の危険物探知装置。
【請求項１３】
進行方向に傾斜したサーチコイルと、前記の傾斜したサーチコイルと対になる受信コイルを設置するとともに、床面に配置した板ガラスの下方に人体の位置を検知する容量センサーを配置したことを特徴とする請求項６乃至請求項１１に記載の危険物探知装置。
【請求項１４】
前記検知部の外周の磁界を遮断することを特徴とする請求項１乃至請求項１３に記載の危険物探知装置。
【発明の詳細な説明】
【技術分野】
【０００１】  本発明は、空港へ銃器、刃物、爆発物等の危険物を持ち込むことを防止したり、不特定多数の人間が集まる集会やイベントにおいて、金属等の危険物を所持する不審者を検出するための危険物探知装置に関するものであり、詳細には、被検者に対しての精神的な環境を考慮した危険物探知装置に関する。
【背景技術】
【０００２】従来より、空港へ銃器、刃物、爆発物等の危険物を持ち込むことを防止したり、不特定多数の人間が集まる集会やイベントにおいて金属物を所持する不審者を検出するための手段としては各種の装置、方法が提案されている。【０００３】  危険物の持ち込み防止方法の代表的な例としては、特開２００３−３４６２６７「盗難抑止・防止・予知方法、及び絨毯型ゲート動画像認識技術併用型盗難抑止・防止・予知装置」のように、磁気コイルを使用した金属探知機を内装したゲート型の装置を設けて、一人づつ通行させることによって危険物の持込を探知する方法が知られている。（特許文献１参照）。
【特許文献１】特開２００３−３４６２６７号公報
【発明が解決しようとする課題】
【０００４】ところが、前記の方法では、衆人環視下でゲートを通行して検問を受けるため、誤作動により止められるだけでなく、場合によっては、着用している靴や衣類を脱ぐように指示される等の精神的な不快感を与えられる等の問題を有している。
【０００５】又、ゲートを通過させるため、検査に時間がかかる等の効率性の問題も指摘されている。
【課題を解決するための手段】
【０００６】  本発明は、上記の従来の課題を解決するものであり、検知部を床下に配置し、床上には規定の歩行路を通行させる案内部を設けることで、歩行者感覚で検査が行われ、被検者に精神的な負担をかけないようにしたことを特徴とする危険物探知装置であり、一度に多人数の検査を行い、検査を受けている雰囲気なしに通行するだけで、検査を完了することを可能としたものである。
【０００７】上記の構成において前記検知部は、サーチコイルであり、交流による磁界を発生する。前記サーチコイルの上を金属物を携帯した人間が通過した場合には、磁束が変化するため、危険物の持ち込みを検知することが可能である。
【０００８】床面上に設ける前記の案内部は、床面上に床面の模様と視覚上で区別可能な色・柄のテープの貼り付けや塗装によって案内線を形成したり、或いは床面上に段差を形成するブロックを設けることによって構成され、該案内部によって前記検知部の上面を通行するように案内する。
【０００９】また、前記サーチコイルを床下に配置する場合、通路外周の磁界を遮断することによって、地磁気や外部ノイズ等による誤作動を防止することが可能である。
【００１０】さらに、前記サーチコイルと検知コイルを別個に設置することによって、検知制度を向上させることが可能である。該検知コイルは、通路に沿って天井内に設置することも可能である。前記検知部が配置される床面は透過性を有する部材を使用することが可能であり、通常は板ガラスを使用する。
【００１１】床面上のサーチコイルの上部にあたる部分には、凹凸を有する板ガラスを配置することが可能であり、これによって通行すべき部分を明示して被験者をサーチコイルの上に案内することが可能である。
【００１２】床面のサーチコイルの上部を前記凹凸を有する板ガラスにて構成することもでき、床面上に配置した場合と同様に通行すべき部分を明示して被験者をサーチコイルの上に案内することが可能である。床面上に板ガラスを配置する構成とした場合には、通行する際には若干の段差が形成されているために被験者が躓く可能性があるが、床面のサーチコイルの上部を前記凹凸を有する板ガラスにて構成した場合には段差は形成されないため躓く可能性は低く、よりスムースに通行することが可能である。
【００１３】また、前記板ガラスは導電膜を有する合わせガラスを使用し、該導電膜はエッチングによってコイルパターンを形成することも可能である。前記コイルパターンはサーチコイルとして使用することも可能である。床面を構成するガラスにサーチコイルを形成することによって、床下にサーチコイル配置用のスペースを必要としないため、施行が容易である。尚、前記導電膜は中間膜で挟み断線やショートを防止する構造とすることが望ましい。
【００１４】また、前記サーチコイル及び検知コイルは複数設けることも可能であり、複数設けることによって検知精度を向上することが可能である。
【００１５】床下には複数のサーチコイルを配置するととともに、天井には複数の検知コイルを配置する。前記サーチコイルは進行方向に傾斜して配置するものと垂直に配置するものからなり、前記検知コイルは前記サーチコイルと対になるように配置するものである。このような構成は、傾斜対と垂直対の交点から被験者が携帯する金属部の高さ位置を検知し、表示盤にデータを送る。尚、複数のコイルの間での混信を防止するため、磁界の周波数を変える。
【００１６】進行方向にコイルを傾斜した一対のサーチコイルと受信コイルを設置するとともに、ガラス床下部には人体の位置を検知する容量センサーを設置する。
磁気コイルが金属部を検知した時の位置センサーから金属部の所持高さが計算できるのでハンド式のセンサーで詳細に調べることが可能である。
【実施例】
【００１７】図１は、本発明の危険物探知装置の第１実施例を表す図であり、図２は、本発明の危険物探知装置の第２実施例を表す図であり、図３は、本発明の危険物探知装置の第３実施例を表す図であり、図４は、本発明の危険物探知装置の第４実施例を表す図であり、図５は、本発明の危険物探知装置を表す第５実施例を表す図であり、図６は、本発明の危険物探知装置の第６実施例を表す図であり、図７は、本発明の危険物探知装置の第７実施例を表す図である。【００１８】  図１は、本発明の危険物探知装置の第１実施例を表す図である。この実施例では、検知部１は、サーチコイル１１から成り、歩行通路となる床２の下部に配置されている。そして、床２の上部には規定の歩行路を通行させる色・柄のテープの貼り付けや塗装によって案内線を形成したり、或いは床面上に段差を形成するブロック４１を設けることによって構成された案内部４が設けられていて、歩行者は、この案内部４の導線に沿って通過することで、足部に隠された危険物を探知することができる。【００１９】  図２は、本発明の危険物探知装置の第２実施例を表す図である。この実施例では、案内部１は、床２の面上に凹凸のある床面の模様と視覚上で区別可能な模様にて形成されている。具体的には、サーチコイル１１を埋設させた床２の上面を板ガラス５で覆い、該板ガラス５の上面にサンドブラスト、エッチングにより凹凸を施すことで案内部４を構成している。また、必要に応じてバックライトとなるＬＥＤ、白色灯等の照明装置６を設けることで板ガラス５を明るくするため、歩行者は、この案内部４の導線に沿って通過することで、足部に隠された危険物を探知することができる。【００２０】  更に、この例での案内部４は、板ガラス５を床２の上面より高く設定しており、段差を生じさせることによっても構成させている。【００２１】  図３は、本発明の危険物探知装置の第３実施例を表す図である。この実施例では、サーチコイル１１と検知コイル１２から構成したことを特徴としている。具体的には、床２の下面にサーチコイル１１を配置して、天井３に検知コイル１２を配置している。【００２２】  図４は、本発明の危険物探知装置の第４実施例を、図５は、本発明の第５実施例を表す図である。これらの実施例では、サーチコイル１１の上方にあたる床４の面には、導電膜を有する合わせガラス５０を配置している。この導電膜を有する合わせガラス５０は、エッチングによりコイルパターン１１が形成されており、中間膜５１を介した合わせガラス５０とすることで、断線やそれによるショートを防止した耐久性の高い構造となっている。【００２３】  図６は、本発明の危険物探知装置の第６実施例を表す図である。この実施例では、進行方向に傾斜したサーチコイル１１と、前記の傾斜したサーチコイル１１と対になる受信コイル１４を設置しており、これらを複数対とすることで、被検者が携帯する金属の高さ位置を検知することができる構成としている。【００２４】  図７は、本発明の危険物探知装置の第７実施例を表す図である。この実施例では、進行方向に傾斜したサーチコイル１１と、前記の傾斜したサーチコイル１１と対になる受信コイル１４を設置するとともに、床面に配置した板ガラスの下���に人体の位置を検知する容量センサー１３を配置している。これにより、被検者が携帯する金属の高さ位置を検知することができる【００２５】  尚、本発明に係わる検知部の外周は、磁界を遮断する構造とすることが好ましい。
【発明の効果】
【００２６】  本発明に係わる危険物探知装置は、上記の如く構成されており、案内部を設けたことで、被検者を検知部に効果的に誘導することができ、被検者にとっては、違和感なく検査を受けることができる。また、本発明の各構成によれば、身体に所持する各種の危険物の検知は勿論のこと、ガラス床に検知コイルを設けたため、距離の近い靴底の中に隠された危険物等も検知し易くなり、また、使用する周波数を変更することで非金属も検知できる等の効果も備えている。
【図面の簡単な説明】
【００２７】
【図１】本発明の第１実施例を表す模式図であり、（ａ）は平面模式図、（ｂ）は側断面模式図
【図２】本発明の第２実施例を表す模式図であり、（ａ）は平面模式図、（ｂ）は側断面模式図
【図３】本発明の第３実施例を表す模式図であり、（ａ）は平面模式図、（ｂ）は側断面模式図
【図４】本発明の第４実施例を表す模式図であり、（ａ）は平面模式図、（ｂ）は側断面模式図
【図５】本発明の第５実施例を表す模式図であり、（ａ）は平面模式図、（ｂ）は側断面模式図
【図６】本発明の第６実施例を表す模式図
【図７】本発明の第７実施例を表す模式図であり、（ａ）は平面模式図、（ｂ）は側断面模式図
【符号の説明】
【００２８】１    検知部
２    床
３    天井
４    案内部
４１  ブロックまたは案内線
５    板ガラス
１１  サーチコイル
１２  検知コイル
１３  容量センサー
１４  受信コイル
５０  合わせガラス
５１  中間膜
６    照明装置
【図１】
2006216004.tif 000003
【図２】
2006216004.tif 000004
【図３】
2006216004.tif 000005
【図４】
2006216004.tif 000006
【図５】
2006216004.tif 000007
【図６】
2006216004.tif 000008
【図７】
2006216004.tif 000009